Podtech/llm-jp-corpus-v4-ja_patent huggingface dataset:
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
打ち込まれた遊技球が流下可能な遊技領域を有する遊技盤と、
演出画像が表示される演出画像表示装置と、
前記遊技領域に設けられ、遊技球を受け入れ可能な受入口と、
前記遊技領域に設けられ、遊技球を受け入れ可能な開状態と当該遊技球を受け入れ不可能な閉状態との間で開閉可能な開閉装置と、
機械的な抽選処理を行う機械的抽選装置と、
前記開閉装置から受け入れた遊技球を前記機械的抽選装置に案内し得る案内装置と、
遊技の進行を制御する遊技制御手段と、
を備え、
前記遊技制御手段は、
複数の演出画像を記憶する演出画像記憶手段、
前記受入口への遊技球の受け入れを検出する受入口検出手段、
前記受入口検出手段による前記受入口への遊技球の受け入れ検出に基づいて内部的な抽選処理を行う内部抽選手段、
前記内部的な抽選処理に当選したことに応じて、前記演出画像記憶手段に記憶される前記複数の演出画像のなかから特定の演出画像に選択決定し得る演出画像選択決定手段、
前記演出画像選択決定手段により選択決定された演出画像を、前記演出画像表示装置にて表示制御する表示制御手段、
前記開閉装置を、前記開状態と前記閉状態との間で変位させる開閉制御手段、
前記開閉装置が前記閉状態から前記開状態に変位してから一定時間経過したのちに、前記案内装置の作動を制御する案内制御手段、
前記機械的な抽選処理における当否を判定する当否判定手段、および
少なくとも前記当否判定手段により前記機械的な抽選処理にて当選したと判定されたことに応じて遊技者に有利な特別遊技を実行する特別遊技実行手段、
を有しており、
前記機械的抽選装置は、前記遊技球が特定のタイミングで案内されたときに当選となるように前記機械的な抽選処理を行うと共に、
前記演出画像記憶手段は、第１の演出画像、および、当該第１の演出画像と経時的に極似する極似演出画像を一部に含むと共に当該極似演出画像に続いて他の演出画像が表示される第２の演出画像を、前記特定の演出画像として少なくとも記憶しており、
前記開閉制御手段は、前記特定の演出画像が前記演出画像表示装置に表示されたのちに前記開閉装置が前記閉状態から前記開状態に変位するように、当該開閉装置を制御する
ことを特徴とする遊技機。
【請求項２】
前記機械的抽選装置は、前記特定のタイミングが規則的な周期でおとずれるように前記機械的な抽選処理を行うものであって、
前記周期が、前記第２の演出画像についての演出時間と前記第１の演出画像についての演出時間との時間差と異なる
ことを特徴とする請求項１に記載の遊技機。
【請求項３】
前記案内装置は、前記開閉装置から受け入れた遊技球のうち１球のみを、前記開閉装置が前記開放態様に変位してから一定時間経過後に前記機械的抽選装置に案内すると共に、
前記機械的抽選装置は、前記規則的な周期としての一定の時間毎におとずれる前記特定のタイミングとしての特定時間内に前記１球の遊技球が案内されたときに当選となるように前記機械的な抽選処理を行うものであり、
前記演出画像記憶手段は、前記１球の遊技球が前記機械的抽選装置に案内されるタイミングを異ならせるべく、前記第１の演出画像および前記第２の演出画像として、それぞれ、演出時間が所定時間ずつ異なる複数パターンの第１の演出画像および複数の第２の演出画像を記憶しており、
前記１球の遊技球が前記特定時間内に前記機械的抽選装置に案内され得るパターンを当選パターンとしたとき、
前記一定の時間の整数倍が前記複数パターンの数と前記所定時間とを乗じた値に相当すると共に、前記特定時間の前記整数倍が前記当選パターンの数と前記所定時間とを乗じた値に相当することによって、前記受入口への遊技球の受け入れタイミングにかかわらず、前記複数パターンの数に対する前記当選パターンの数の比率と、前記一定の時間に対する前記特定時間の比率とが略同じとされる
ことを特徴とする請求項１または請求項２に記載の遊技機。
【手続補正書】
【提出日】平成21年10月7日(2009.10.7)
【手続補正１】
【補正対象書類名】明細書
【補正対象項目名】００１５
【補正方法】変更
【補正の内容】
【００１５】
各部材を説明する。
（Ｂ）先筒１０は、棒状化粧材Ａが進退する先端開口孔１１を備えた円筒形状をなし、軸方向に摘部１７と内筒嵌入部１６より構成され、この内筒嵌入部１６には内筒２０と回動可能脱落不能に嵌合する嵌合凸部１４と、内筒２０との間にＯリングを介して回動する為のＯリング溝１５が設けられる。又、摺動貫通孔１３には、摺動溝１２が複数形成されて、化粧材保持部４８外周の突条４２と係合して回転止機構を構成する。
【手続補正２】
【補正対象書類名】明細書
【補正対象項目名】００２５
【補正方法】変更
【補正の内容】
【００２５】
図５は、中継螺旋筒５０の上昇限を拡大したものであるが、中継螺旋筒５０の大径部５３の上端部５３ａが内筒２０の内突段部２３の下向き段部２３ａに当接して、上昇限位置を決定している為、回動する螺合力がかかっても先筒１０や内筒２０内の螺旋部２６に影響を与える事が全くない。又、中継螺旋筒５０が先行して上昇限位置にあっても、機構に影響を与える事なく、次に芯チャック部材４０を繰上げる事ができるので、故障がなく安全な二重繰出機構を有する容器を提供できる。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
前縁を掃き込み縁とした塵受け板、この塵受け板の両側縁から立ち上がる左右の側面板、上記塵受け板の後縁から立ち上がるとともに上記左右の側面板の後縁とつながる底面板、および、上記底面板と上記左右の側面板の各上部とつながり、上記塵受け板と対向して位置する上面板を備え、上記塵受け板の掃き込み縁、ないし上記側面板と上記上面板の各前縁が開口を規定する箱状本体と、
上記左右の側面板における上記本体の重心よりも前方側の部位に対し、左右方向に延びる軸心を中心として回動可能に連結された支持体と、を備えたちり取りにおいて、
上記支持体を上記塵受け板に対して所定の角度で起立する第１の回動位置において所定の保持力をもって保持する保持手段を備えていることを特徴とする、ちり取り。
【請求項２】
上記支持体の回動範囲を、上記第１の回動位置と、上記塵受け板にほぼ沿う第２の回動位置間に規制する規制手段をさらに備えている、請求項１に記載のちり取り。
【請求項３】
上記支持体は、一端が上記本体の左右の上記側面板に回動可能に連結された左右のアーム部と、この左右のアーム部の他端間をつなぐ横杆部と、この横杆部に連結された柄棒とを備えて構成されている、請求項２に記載のちり取り。
【請求項４】
上記支持体の上記左右のアーム部に対し、蓋部材が回動可能に支持されており、この蓋部材は、上記支持体が上記第２の回動位置をとるとき、上記本体の上記開口を閉鎖し、上記支持体が上記第１の回動位置をとるとき、上記本体の上記開口を開放する、請求項３に記載のちり取り。
【請求項５】
上記保持手段は、上記本体の上記側面板に形成したストッパ部と、上記支持体に形成した係止部とにより構成されている、請求項１ないし４のいずれかに記載のちり取り。
【請求項６】
上記規制手段は、上記本体の上記側面板に形成した上記ストッパ部に、上記支持体の一部が当接することにより構成されている、請求項５に記載のちり取り。
【手続補正２】
【補正対象書類名】明細書
【補正対象項目名】００１５
【補正方法】変更
【補正の内容】
【００１５】
好ましい実施の形態においては、上記保持手段は、上記本体の上記側面板に形成したストッパ部と、上記支持体に形成した係止部とにより構成されている。
【手続補正３】
【補正対象書類名】明細書
【補正対象項目名】００１６
【補正方法】変更
【補正の内容】
【００１６】
好ましい実施の形態においては、上記規制手段は、上記本体の上記側面板に形成した上記ストッパ部に、上記支持体の一部が当接することにより構成されている。
【手続補正４】
【補正対象書類名】明細書
【補正対象項目名】００２１
【補正方法】変更
【補正の内容】
【００２１】
蓋部材３０は、アーム部２１の上端付近に左右方向に延びるリベット６２によって連結されており、リベット６２を回転軸として回動可能となっている。この蓋部材３０は、図２に示すように支持体２０が第２の回動位置にあるとき、掃き込み縁１１ａと、側面板１２，１３および上面板１５の前縁を覆い、本体１０の開口部分を封鎖することができる。
【手続補正５】
【補正対象書類名】明細書
【補正対象項目名】００２３
【補正方法】変更
【補正の内容】
【００２３】
支持体２０の各アーム部２１の下端に取り付けられる樹脂カバー５０は、図３および図５に示すように、アーム部２１に対してその外面から抱き込むようにして嵌合固定される凹状断面の基部５１と、この基部５１の下端に形成された突起部５２とを備えている。基部５１には、上記したリベット６１を通すための穴５１ａが形成されている。突起部５２にはまた、前後方向に延びるフックアーム５３，５４が一体形成されている。このフックアーム５３，５４は、外力に対して弾性変形可能である。一方のフックアーム５３は、支持体２０が第１の回動位置まで回動したとき、図４に示すように、ストッパ部４０に設けた規制片４１の先端係止部４３に対して弾性係合し、これによって、支持体２０の第１の回動位置が保持される。なお、支持体２０を逆方向（第２の回動位置に向う方向）に回動させる所定以上の力が加わると、フックアーム５３と規制片４１との係合が解除され、支持体２０は第１および第２の回動位置間の範囲で自由に回動しうるようになる。このように、本実施形態では、上記フックアーム５３と上記規制片４１との弾性係合関係が、本願発明における保持手段４０Ａを構成している。他方のフックアーム５４は、支持体２０が第２の回動位置まで回動したとき、ストッパ部４０に設けた規制片４２の先端係止部４４に対して弾性係合し、これによって、支持体２０の第２の回動位置が保持される。なお、この場合も、支持体２０を逆方向（第１の回動位置に向う方向）に回動させる所定以上の力が加わると、フックアーム５４と規制片４２との係合が解除され、支持体２０は第１および第２の回動位置間の範囲で自由に回動しうるようになる。
【手続補正６】
【補正対象書類名】図面
【補正対象項目名】図２
【補正方法】変更
【補正の内容】
【図２】
2008125966.tif 000001
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
打ち込まれた遊技球が流下可能な遊技領域を有する遊技盤と、
演出画像が表示される演出画像表示装置と、
前記遊技領域に設けられ、遊技球の通過または受け入れが可能に開放されている開放口と、
前記遊技領域に設けられ、遊技球を受け入れ可能な受入口と、
前記受入口の近傍に設けられ、当該受入口への遊技球の受け入れが可能な許球態様と当該受入口への遊技球の受け入れが困難または不可能な拒球態様との間で変位可能な可動部材と、
前記遊技領域に設けられ、遊技球を受け入れ可能な開状態と当該遊技球を受け入れ不可能な閉状態との間で開閉可能な開閉装置と、
機械的な抽選処理を行う機械的抽選装置と、
前記開閉装置から受け入れた遊技球を前記機械的抽選装置に案内し得る案内装置と、
遊技の進行を制御する遊技制御手段と、
を備え、
前記遊技制御手段は、
前記開放口への遊技球の通過または受け入れを検出する開放口検出手段、
前記開放口検出手段による前記開放口への遊技球の通過または受け入れ検出に基づいて内部的な第１の抽選処理を行う第１内部抽選手段、
前記可動部材を、常には前記拒球態様に維持すると共に、前記内部的な第１の抽選処理に当選したことに応じて前記許球態様に変位させる可動制御手段、
前記受入口への遊技球の受け入れを検出する受入口検出手段、
前記受入口検出手段による前記受入口への遊技球の受け入れ検出に基づいて内部的な第２の抽選処理を行う第２内部抽選手段、
複数の演出画像を記憶する演出画像記憶手段、
前記内部的な第２の抽選処理に当選したことに応じて、前記演出画像記憶手段に記憶される前記複数の演出画像のなかから特定の演出画像に選択決定し得る演出画像選択決定手段、
前記演出画像選択決定手段により選択決定された演出画像を、前記演出画像表示装置にて表示制御する表示制御手段、
前記開閉装置を、前記開状態と前記閉状態との間で変位させる開閉制御手段、
前記開閉装置が前記閉状態から前記開状態に変位してから一定時間経過したのちに、前記案内装置の作動を制御する案内制御手段、
前記機械的な抽選処理における当否を判定する当否判定手段、および
少なくとも前記当否判定手段により前記機械的な抽選処理にて当選したと判定されたことに応じて遊技者に有利な特別遊技を実行する特別遊技実行手段、
を有しており、
前記演出画像記憶手段は、第１の演出画像、および、当該第１の演出画像と同様の演出画像を有すると共に当該第１の演出画像と同様の演出画像に続いて継続する継続演出画像が表示されることで当該第１の演出画像よりも長い第２の演出画像を、前記特定の演出画像として少なくとも記憶しており、
前記機械的抽選装置は、少なくとも規則的な周期でおとずれる特定のタイミングで前記遊技球が案内されたときに当選となるように前記機械的な抽選処理を行うと共に、
前記開閉制御手段は、前記演出画像選択決定手段によって選択決定された特定の演出画像の演出時間に応じて当該特定の演出画像が前記演出画像表示装置に表示されたのちに、前記開閉装置が前記閉状態から前記開状態に変位するように当該開閉装置を制御するものであって、
当該周期は、前記第２の演出画像についての演出時間と前記第１の演出画像についての演出時間との時間差よりも長い
ことを特徴とする遊技機。
【請求項２】
前記案内装置は、前記開閉装置から受け入れた遊技球のうち１球のみを、前記開閉装置が前記開放態様に変位してから一定時間経過後に前記機械的抽選装置に案内すると共に、
前記機械的抽選装置は、前記規則的な周期としての一定の時間毎におとずれる前記特定のタイミングとしての特定時間内に前記１球の遊技球が案内されたときに当選となるように前記機械的な抽選処理を行うものであり、
前記演出画像記憶手段は、前記１球の遊技球が前記機械的抽選装置に案内されるタイミングを異ならせるべく、前記第１の演出画像および前記第２の演出画像として、それぞれ、演出時間が所定時間ずつ異なる複数パターンの第１の演出画像および複数の第２の演出画像を記憶しており、
前記１球の遊技球が前記特定時間内に前記機械的抽選装置に案内され得るパターンを当選パターンとしたとき、
前記一定の時間の整数倍が前記複数パターンの数と前記所定時間とを乗じた値に相当すると共に、前記特定時間の前記整数倍が前記当選パターンの数と前記所定時間とを乗じた値に相当することによって、前記受入口への遊技球の受け入れタイミングに拘らず、前記複数パターンの数に対する前記当選パターンの数の比率と、前記一定の時間に対する前記特定時間の比率とが略同じとされる
ことを特徴とする請求項１に記載の遊技機。
【請求項３】
前記開閉装置から受け入れた遊技球が転動可能な転動通路をさらに備えており、
前記機械的抽選装置は、一以上の特別領域および一以上の通常領域が周縁に沿って設けられると共に一定の速度で回転することによって前記機械的な抽選処理を行う円形状の回転式役物であって、
前記案内装置は、前記遊技球が転動する方向における前記転動通路の終端側に設けられると共に、前記転動通路を転動した遊技球のうち１球の遊技球のみを前記回転式役物の周縁に対向させることによって、当該１球の遊技球を前記機械的抽選装置に案内するものであり、
前記案内装置と前記特別領域または前記通常領域とが対向する部位が視認可能に構成されていると共に、
前記案内装置と前記特別領域とが対向したときが前記特定のタイミングである
ことを特徴とする請求項２に記載の遊技機。
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
立体選択的ヒドロキシニトリルリアーゼをコードする遺伝子、および立体選択性の低いまたは該ヒドロキシニトリルリアーゼと同じ立体選択性を有するニトリラーゼをコードする遺伝子が導入された形質転換微生物。
【請求項２】
ヒドロキシニトリルリアーゼをコードする遺伝子を含む発現ベクターと、ニトリラーゼをコードする遺伝子を含む発現ベクターとから得られる請求項１記載の微生物。
【請求項３】
ヒドロキシニトリルリアーゼをコードする遺伝子、およびニトリラーゼをコードする遺伝子を含む発現ベクターから得られる請求項１記載の微生物。
【請求項４】
ヒドロキシニトリルリアーゼをコードする遺伝子が、Manihot esculenta由来の遺伝子である、請求項２又は３記載の発現ベクター。
【請求項５】
ヒドロキシニトリルリアーゼをコードする遺伝子が、以下のいずれかの遺伝子である、請求項２又は３記載のベクター。
（ａ） 配列番号２で示す遺伝子。
（ｂ） 配列番号２で示す遺伝子とストリンジェントな条件でハイブリダイズし、且つヒドロキシニトリルリアーゼ活性を有するタンパク質をコードする遺伝子。
【請求項６】
ニトリラーゼをコードする遺伝子がBradyrhizobium japonicum由来の遺伝子である請求項２〜５のいずれかに記載のベクター。
【請求項７】
ニトリラーゼをコードする遺伝子が、以下のいずれかの遺伝子である請求項２〜５のいずれかに記載のベクター。
（ａ） 配列番号３で示す遺伝子。
（ｂ） 配列番号３で示す遺伝子とストリンジェントな条件でハイブリダイズし、且つヒドロキシニトリルリアーゼ活性を有するタンパク質をコードする遺伝子。
【請求項８】
ニトリラーゼをコードする遺伝子が、以下のいずれかの遺伝子である請求項２〜５のいずれかに記載のベクター。
（ａ） 配列番号４で示す遺伝子。
（ｂ） 配列番号４で示す遺伝子とストリンジェントな条件でハイブリダイズし、且つヒドロキシニトリルリアーゼ活性を有するタンパク質をコードする遺伝子。
【請求項９】
ニトリラーゼをコードする遺伝子が、以下のいずれかの遺伝子である請求項２〜５のいずれかに記載のベクター。
（ａ） 配列番号５で示す遺伝子。
（ｂ） 配列番号５で示す遺伝子とストリンジェントな条件でハイブリダイズし、且つヒドロキシニトリルリアーゼ活性を有するタンパク質をコードする遺伝子。
【請求項１０】
ニトリラーゼをコードする遺伝子が、以下のいずれかの遺伝子である請求項２〜５のいずれかに記載のベクター。
（ａ） 配列番号６で示す遺伝子。
（ｂ） 配列番号６で示す遺伝子とストリンジェントな条件でハイブリダイズし、且つヒドロキシニトリルリアーゼ活性を有するタンパク質をコードする遺伝子。
【請求項１１】
ベクターが、プラスミドベクターである請求項２〜１０のいずれかに記載のベクター。
【請求項１２】
プラスミドベクターが、ヒドロキシニトリルリアーゼ発現プラスミド（ｐＯＸＮ１０３、ｐＯＸＮ１０３Ｖ２Ｉ、ｐＯＸＮ１０３Ｖ２Ｒ）、ニトリラーゼ発現プラスミド（ｐＮＬＡ００１、ｐＮＬＡ０１０、ｐＮＬＢ００１、ｐＮＬＢ００２、ｐＮＬＢ００４、ｐＮＬＢ０１０）、ニトリラーゼ遺伝子及びヒドロキシニトリルリアーゼ遺伝子が組み込まれた発現プラスミド（ｐＮＬＡ２０１、ｐＮＬＡ２０３、ｐＮＬＡ２１１、ｐＮＬＡ２１３、ｐＮＬＢ２０１、ｐＮＬＢ２０３、ｐＮＬＢ２１１、ｐＮＬＢ２１３）のいずれかである請求項１１記載のベクター。
【請求項１３】
請求項２〜１２のいずれかに記載のベクターが導入された形質転換体。
【請求項１４】
形質転換体の宿主が、大腸菌又はロドコッカス(Rhodococcus)属細菌である請求項１３に記載の形質転換体。
【請求項１５】
形質転換体が、JM109/pNLA201、JM109/pNLA203、JM109/pNLA211、ATCC12674株/pOXN611、ATCC12674株/pOXN612のいずれかである請求項１４記載の形質転換体。
【請求項１６】
カルボニル化合物及びシアニドドナーに請求項１，１３，１４，１５のいずれかの形質転換微生物を作用させることを含む、光学活性α−ヒドロキシカルボン酸の製造方法。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
少なくとも第１のケーシングと第２のケーシングとを有し、
前記第１のケーシングと前記第２のケーシングとは、互いの相対的な位置関係を少なくとも第１の相対位置関係と第２の相対位置関係とに変更可能に構成され、
前記第１のケーシングと前記第２のケーシングとの相対的な位置関係が、前記第１の相対位置関係から前記第２の相対位置関係に変更されたことを判定する判定部と、
前記判定部の判定結果に基づきあらかじめ定められた情報ソースを出力する切替部と、
前記切替部により出力された情報ソースに基づく情報を表示する表示部と、を備える携帯情報端末。
【請求項２】
前記第２の相対位置関係における前記表示部の縦横比は、前記第１の相対位置関係における前記表示部の縦横比と異なることを特徴とする、請求項１に記載の携帯情報端末。
【請求項３】
前記第２の相対位置関係における前記表示部は、横長形状となることを特徴とする請求項１又は２に記載の携帯情報端末。
【請求項４】
前記情報は、画像または映像であることを特徴とする、請求項１から３までのいずれか１項に記載の携帯情報端末。
【請求項５】
前記情報ソースは、放送であることを特徴とする、請求項１から４までのいずれか１項に記載の携帯情報端末。
【請求項６】
前記情報ソースは、通信に基づくことを特徴とする、請求項１から５までのいずれか１項に記載の携帯情報端末。
【手続補正２】
【補正対象書類名】明細書
【補正対象項目名】００７７
【補正方法】変更
【補正の内容】
【００７７】
ユーザーが、操作ボタンケーシング１２に対して映像表示ケーシング１０を回転させると、回転判定部２６により回転動作が検出される。その結果が切替部２３に連絡される。切替部２３は、情報ソースの出力先を、例えば地上デジタル放送など横長形状の画面を取得する情報ソースを処理するのに適した例えば第２の情報処理部２４ｂに切り替える。ユーザーは、第４図に示すように、携帯情報端末を保持し横長形状の映像表示部全体に表示された放送映像画面を視聴することができる。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
画像データを入力する入力手段と、
前記入力した画像データの注目画素の濃度値と、前記注目画素に隣接する周囲画素の濃度値を比較して、前記注目画素の位置において、トラッピングをすべきか否かを判定して前記判定の結果を示す情報を出力する判定手段と、
前記判定の結果を示す情報に従い、前記入力した画像データに対してトラッピングを行うトラップ手段と、
前記入力した画像データの前記注目画素に空間フィルタ処理を施すフィルタ手段と、
少なくとも前記判定の結果を示す情報から決定した重みにより、前記トラップ手段によってトラッピングされた画像データと前記フィルタ手段によって空間フィルタ処理された画像データを重み付けし、前記重み付けした画像データを出力する出力手段とを有することを特徴とする画像処理装置。
【請求項２】
前記フィルタ手段は前記空間フィルタ処理の前後における画像データの変化の程度を示す乖離度を出力し、前記出力手段は前記判定の結果を示す情報と前記乖離度に応じて前記重みを決定することを特徴とする請求項1に記載された画像処理装置。
【請求項３】
画像データを入力し、
前記入力した画像データの注目画素の濃度値と、前記注目画素に隣接する周囲画素の濃度値を比較して、前記注目画素の位置において、トラッピングをすべきか否かを判定して前記判定の結果を示す情報を出力し、
前記判定の結果を示す情報に従い、前記入力した画像データに対してトラッピングを行い、
前記入力した画像データの前記注目画素に空間フィルタ処理を施し、
少なくとも前記判定の結果を示す情報から決定した重みにより、前記トラッピングされた画像データと前記空間フィルタ処理された画像データを重み付けし、前記重み付けした画像データを出力することを特徴とする画像処理方法。
【請求項４】
コンピュータ装置を制御して、請求項1または請求項2に記載された画像処理装置の各手段として機能させることを特徴とするプログラム。
【手続補正２】
【補正対象書類名】明細書
【補正対象項目名】００１９
【補正方法】変更
【補正の内容】
【００１９】
本発明にかかる画像処理は、画像データを入力し、前記入力した画像データの注目画素の濃度値と、前記注目画素に隣接する周囲画素の濃度値を比較して、前記注目画素の位置において、トラッピングをすべきか否かを判定して前記判定の結果を示す情報を出力し、前記判定の結果を示す情報に従い、前記入力した画像データに対してトラッピングを行い、前記入力した画像データの前記注目画素に空間フィルタ処理を施し、少なくとも前記判定の結果を示す情報から決定した重みにより、前記トラッピングされた画像データと前記空間フィルタ処理された画像データを重み付けし、前記重み付けした画像データを出力することを特徴とする。
【手続補正３】
【補正対象書類名】明細書
【補正対象項目名】００４９
【補正方法】変更
【補正の内容】
【００４９】
まず、ある注目版の参照ウィンドウの中心画素である注目画素の値が、ある閾値レンジ内（例えば、0〜15%濃度の薄い画素）か否かを判定する(S801)。注目画素の値が大きい（濃度が高く閾値レンジ外）の場合はトラッピングは不要の旨を示す判定結果を出力し(S811)、当該参照ウィンドウの処理を終了する。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
ビーコングループを形成して通信する通信装置であって、
前記通信装置が休眠モードに移行することにより生じた、複数のビーコングループ間のビーコンピリオド開始時間の変化量に基づいて休眠期間を決定する決定手段と、
前記決定手段で決定された休眠期間に従って当該装置を休眠モードにする休眠手段とを有することを特徴とする通信装置。
【請求項２】
前記決定手段は、当該装置が休眠モードへ移行することにより互いに独立するビーコングループとなる複数のビーコングループ間のビーコンピリオド開始時間の変化量と休眠モードに移行してからの時間とに基づいて、前記休眠期間を決定することを特徴とする請求項１に記載の通信装置。
【請求項３】
前記決定手段は、当該装置が休眠モードへ移行することにより互いに独立するビーコングループとなる複数のビーコングループ間のビーコンピリオド開始時間の変化量が、前記複数のビーコングループ同士が同期した状態であると判断される範囲内の値になるように、前記休眠期間を決定することを特徴とする請求項１に記載の通信装置。
【請求項４】
前記通信装置のビーコングループに属する各デバイスから受信したビーコン信号に基づいて各デバイスのクロック周波数を判別する判別手段と、
前記各デバイスのクロック周波数に基づいて、前記複数のビーコングループの各々のビーコンピリオド開始時間の変化量を算出する算出手段とを更に有し、
前記決定手段は、前記算出手段により算出した結果に基づいて、前記休眠期間を決定することを特徴とする請求項１に記載の通信装置。
【請求項５】
前記決定手段は、前記複数のビーコングループの各々において、クロック周波数の最も遅いデバイスのクロック周波数に基づいて前記複数のビーコングループの各々のビーコンピリオド開始時間を算出し、算出したビーコンピリオド開始時間に基づいて前記複数のビーコングループ間のビーコンピリオド開始時間の変化量を算出することを特徴とする請求項１に記載の通信装置。
【請求項６】
前記通信装置を一定期間の間、休眠モードにし、この休眠により生じた前記複数のビーコングループ間のビーコンピリオド開始時間の変化量を検出する検出手段を有し、
前記決定手段は、前記検出手段により検出した前記変化量に基づいて、前記休眠期間を決定することを特徴とする請求項１に記載の通信装置。
【請求項７】
前記決定手段は、前記休眠手段による休眠の実行により生じた前記複数のビーコンピリオド開始時間の変化量に基づいて次の休眠の休眠期間を決定することを特徴とする請求項１に記載の通信装置。
【請求項８】
ビーコングループを形成して通信する通信装置の制御方法であって、
前記通信装置が休眠モードに移行することにより生じた、複数のビーコングループ間のビーコンピリオド開始時間の変化量に基づいて休眠期間を決定する決定工程と、
前記決定工程において決定した休眠期間に従って前記通信装置を休眠モードにする休眠工程とを有することを特徴とする通信装置の制御方法。
【請求項９】
コンピュータにビーコングループを形成して通信する通信装置を制御させるためのプログラムであって、前記コンピュータに、
前記通信装置が休眠モードに移行することにより生じた、複数のビーコングループ間のビーコンピリオド開始時間の変化量に基づいて休眠期間を算出する工程と、
前記算出した休眠期間に従って前記通信装置を休眠モードにする工程とを実行させるプログラム。
【手続補正２】
【補正対象書類名】明細書
【補正対象項目名】００１４
【補正方法】変更
【補正の内容】
【００１４】
上記の目的を達成するため本発明の一態様による通信装置は以下の構成を有する。即ち、
ビーコングループを形成して通信する通信装置であって、
前記通信装置が休眠モードに移行することにより生じた、複数のビーコングループ間のビーコンピリオド開始時間の変化量に基づいて休眠期間を決定する決定手段と、
前記決定手段で決定された休眠期間に従って当該装置を休眠モードにする休眠手段とを有する。
【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
符号化対象画像を複数のブロックに分割し、参照画像を用いて前記ブロック単位で動きベクトルを検出し、前記参照画像と前記動きベクトルに基づいて前記符号化対象画像を前記ブロック単位で符号化する画像符号化装置において、
それぞれＭ（Ｍ＞２）値画像である前記符号化対象画像と前記参照画像とに低域通過フィルタ処理を施すフィルタ手段と、
前記フィルタ処理を施された前記符号化対象画像と前記フィルタ処理を施された前記参照画像をそれぞれＮ（Ｍ＞Ｎ≧２）値化し、前記符号化対象画像に対応する第１のＮ値化画像及び前記参照画像に対応する第２のＮ値化画像を生成するＮ値化処理手段と、
前記第１のＮ値化画像を構成する複数のブロックの各々について、前記第２のＮ値化画像を用いて動きベクトルを検出する第１の動きベクトル検出手段と、
前記第１の動きベクトル検出手段の検出した動きベクトルを基準として、前記符号化対象画像のブロックの各々について、前記フィルタ処理を施されていない前記符号化対象画像と前記フィルタ処理を施されていない前記参照画像とを用いて動きベクトルを検出する第２の動きベクトル検出手段と、
前記第２の動きベクトル検出手段が検出した動きベクトルを用いて、前記フィルタ処理を施されていない前記参照画像から動き補償画像を生成する動き補償手段と、
前記フィルタ処理を施されていない前記符号化対象画像と前記動き補償画像の差分に符号化処理を施す符号化処理手段とを備えることを特徴とする画像符号化装置。
【請求項２】
前記第２の動きベクトル検出手段における動きベクトルの探索範囲が、前記第１の動きベクトル検出手段における動きベクトルの探索範囲よりも狭いことを特徴とする請求項１記載の画像符号化装置。
【請求項３】
前記Ｎ値化処理手段が、
前記フィルタ処理を施された前記符号化対象画像と前記フィルタ処理を施された前記参照画像に対してそれぞれエッジ抽出処理を施す特徴抽出手段と、
前記エッジ抽出処理を施された前記符号化対象画像と、前記エッジ抽出処理を施された前記参照画像とをＮ値化して前記第１及び第２のＮ値化画像を生成するＮ値化手段とを有することを特徴とする請求項１又は請求項２記載の画像符号化装置。
【請求項４】
さらに、前記Ｎ値化処理手段が、前記フィルタ処理を施された前記符号化対象画像と前記フィルタ処理を施された前記参照画像よりも解像度が低い前記第１及び第２のＮ値化画像を生成することを特徴とする請求項１又は請求項２記載の画像符号化装置。
【請求項５】
符号化対象画像を複数のブロックに分割し、参照画像を用いて前記ブロック単位で動きベクトルを検出し、前記参照画像と前記動きベクトルに基づいて前記符号化対象画像を前記ブロック単位で符号化する画像符号化方法において、
それぞれＭ（Ｍ＞２）値画像である前記符号化対象画像と前記参照画像とに低域通過フィルタ処理を施すフィルタ処理工程と、
前記フィルタ処理を施された前記符号化対象画像と前記フィルタ処理を施された前記参照画像をそれぞれＮ（Ｍ＞Ｎ≧２）値化し、前記符号化対象画像に対応する第１のＮ値化画像及び前記参照画像に対応する第２のＮ値化画像を生成するＮ値化処理工程と、
前記第１のＮ値化画像を構成する複数のブロックの各々について、前記第２のＮ値化画像を用いて動きベクトルを検出する第１の動きベクトル検出工程と、
前記第１の動きベクトル検出手段の検出した動きベクトルを基準として、前記符号化対象画像のブロックの各々について、前記フィルタ処理を施されていない前記符号化対象画像と前記フィルタ処理を施されていない前記参照画像とを用いて動きベクトルを検出する第２の動きベクトル工程手段と、
前記第２の動きベクトル検出結果の検出結果を用いて、前記フィルタ処理を施されていない前記参照画像から動き補償画像を生成する動き補償工程と、
前記フィルタ処理を施されていない前記符号化対象画像と前記動き補償画像の差分に符号化処理を施す符号化処理工程とを備えることを特徴とする画像符号化方法。
【請求項６】
コンピュータを請求項１乃至請求項４のいずれか１項に記載の画像符号化装置の各手段として機能させるためのプログラム。
【手続補正２】
【補正対象書類名】明細書
【補正対象項目名】０００９
【補正方法】変更
【補正の内容】
【０００９】
上述の目的は、符号化対象画像を複数のブロックに分割し、参照画像を用いてブロック単位で動きベクトルを検出し、参照画像と動きベクトルに基づいて符号化対象画像をブロック単位で符号化する画像符号化装置において、それぞれＭ（Ｍ＞２）値画像である符号化対象画像と参照画像とに低域通過フィルタ処理を施すフィルタ手段と、フィルタ処理を施された符号化対象画像とフィルタ処理を施された参照画像をそれぞれＮ（Ｍ＞Ｎ≧２）値化し、符号化対象画像に対応する第１のＮ値化画像及び参照画像に対応する第２のＮ値化画像を生成するＮ値化処理手段と、第１のＮ値化画像を構成する複数のブロックの各々について、第２のＮ値化画像を用いて動きベクトルを検出する第１の動きベクトル検出手段と、第１の動きベクトル検出手段の検出した動きベクトルを基準として、符号化対象画像のブロックの各々について、フィルタ処理を施されていない符号化対象画像とフィルタ処理を施されていない参照画像とを用いて動きベクトルを検出する第２の動きベクトル検出手段と、第２の動きベクトル検出手段が検出した動きベクトルを用いて、フィルタ処理を施されていない参照画像から動き補償画像を生成する動き補償手段と、フィルタ処理を施されていない符号化対象画像と動き補償画像の差分に符号化処理を施す符号化処理手段とを備えることを特徴とする画像符号化装置によって達成される。
【手続補正３】
【補正対象書類名】明細書
【補正対象項目名】００１０
【補正方法】変更
【補正の内容】
【００１０】
また、上述の目的は、符号化対象画像を複数のブロックに分割し、参照画像を用いてブロック単位で動きベクトルを検出し、参照画像と動きベクトルに基づいて符号化対象画像をブロック単位で符号化する画像符号化方法において、それぞれＭ（Ｍ＞２）値画像である符号化対象画像と参照画像とに低域通過フィルタ処理を施すフィルタ処理工程と、フィルタ処理を施された符号化対象画像とフィルタ処理を施された参照画像をそれぞれＮ（Ｍ＞Ｎ≧２）値化し、符号化対象画像に対応する第１のＮ値化画像及び参照画像に対応する第２のＮ値化画像を生成するＮ値化処理工程と、第１のＮ値化画像を構成する複数のブロックの各々について、第２のＮ値化画像を用いて動きベクトルを検出する第１の動きベクトル検出工程と、第１の動きベクトル検出手段の検出した動きベクトルを基準として、符号化対象画像のブロックの各々について、フィルタ処理を施されていない符号化対象画像とフィルタ処理を施されていない参照画像とを用いて動きベクトルを検出する第２の動きベクトル工程手段と、第２の動きベクトル検出結果の検出結果を用いて、フィルタ処理を施されていない参照画像から動き補償画像を生成する動き補償工程と、フィルタ処理を施されていない符号化対象画像と動き補償画像の差分に符号化処理を施す符号化処理工程とを備えることを特徴とする画像符号化方法によっても達成される。
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
クロック信号線と、データ信号線と、前記クロック信号線と前記データ信号線を用いてクロック信号およびデータ信号を送信する送信機と、前記クロック信号線と前記データ信号線を用いて前記送信機から送信されたクロック信号およびデータ信号を受信する受信機とを有する送受信機であって、
前記送信機は、前記クロック信号線にリンク情報を符号化したビットデータ列を送信する符号化回路を有し、
前記受信機は、前記クロック信号線から受信した信号からクロック成分を抽出する抽出回路と、前記抽出した信号を復号化して前記リンク情報を再生する復号化回路と、前記クロック成分を元に１ビット未満のスキューを調整する調整回路とを有することを特徴とする送受信機。
【請求項２】
請求項１に記載の送受信機において、
前記リンク情報は、１ビット以上のデータ信号線間スキューを調整するための情報を含むことを特徴とする送受信機。
【請求項３】
請求項１に記載の送受信機において、
前記リンク情報は、パラレル−シリアル変換に必要なバイトアライン情報を含むことを特徴とする送受信機。
【請求項４】
請求項１に記載の送受信機において、
前記リンク情報は、伝送符号のための情報を含むことを特徴とする送受信機。
【請求項５】
請求項１に記載の送受信機において、
前記リンク情報は、再送のための情報を含むことを特徴とする送受信機。
【請求項６】
請求項１に記載の送受信機において、
前記リンク情報は、キュー管理のための情報を含むことを特徴とする送受信機。
【請求項７】
クロック信号線と、データ信号線とを用いて、クロック信号およびデータ信号を送信する送信機であって、
前記クロック信号線にリンク情報を符号化したビットデータ列を送信する符号化回路を有することを特徴とする送信機。
【請求項８】
クロック信号線と、データ信号線とを用いて、送信機から送信されたクロック信号およびデータ信号を受信する受信機であって、
前記クロック信号線から受信した信号からクロック成分を抽出する抽出回路と、前記抽出した信号を復号化してリンク情報を再生する復号化回路と、前記クロック成分を元に１ビット未満のスキューを調整する調整回路とを有することを特徴とする受信機。
【請求項９】
クロック信号線と、データ信号線とを用いて、クロック信号およびデータ信号を送信する送信機と、
前記クロック信号線と、前記データ信号線とを用いて、前記送信機から送信されたクロック信号およびデータ信号を受信する受信機と、を有するデータ送受信システムであって、
前記送信機は、前記クロック信号線にリンク情報を符号化したビットデータ列を送信する符号化回路を有し、
前記受信機は、前記クロック信号線から受信した信号からクロック成分を抽出する抽出回路と、前記抽出した信号を復号化して前記リンク情報を再生する復号化回路と、前記クロック成分を元に１ビット未満のスキューを調整する調整回路とを有する、ことを特徴とするデータ送受信システム。
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
１本の入力信号を電圧レベル変換し、電圧レベル変換後の信号を出力するレベルシフト回路と、
前記レベルシフト回路の出力信号を入力して、前記入力信号のデューティに対する前記レベルシフト回路の出力信号のデューティのずれを相殺するデューティ補正回路とを備えたレベルシフト装置。
【請求項２】
１本の入力信号を電圧レベル変換し、電圧レベル変換後の信号をＲ-Ｓラッチ回路によって２本の信号として出力するレベルシフト回路と、
前記レベルシフト回路における前記Ｒ-Ｓラッチ回路からの２本の出力信号をそれぞれ第１、第２の入力信号とし、前記第１の入力信号がゲートに接続され、ソースが接地される第１のＮＭＯＳトランジスタと、前記第２の入力信号がゲートに接続され、ソースが接地される第２のＮＭＯＳトランジスタと、入力端子が前記第２のＮＭＯＳトランジスタのドレインに接続され、出力端子が前記第１のＮＭＯＳトランジスタのドレインに接続される第１のインバータと、入力端子が前記第１のＮＭＯＳトランジスタのドレインに接続され、出力端子が前記第２のＮＭＯＳトランジスタのドレインに接続される第２のインバータとからなるデューティ補正回路とを備えたレベルシフト装置。
【請求項３】
前記デューティ補正回路は、前記第１のインバータの出力信号を入力信号としレベルシフトの出力とする第１のバッファと、前記第２のインバータの出力信号を入力信号とする第２のバッファとをさらに備えている請求項２に記載のレベルシフト装置。
【請求項４】
１本の入力信号を電圧レベル変換し、電圧レベル変換後の信号をＲ-Ｓラッチ回路によって２本の信号として出力するレベルシフト回路と、
前記レベルシフト回路における前記Ｒ-Ｓラッチ回路からの２本の出力信号をそれぞれ第１、第２の入力信号とし、前記第１の入力信号がゲートに接続され、ソースが高電位電源に接続される第１のＰＭＯＳトランジスタと、前記第２の入力信号がゲートに接続され、ソースが高電位電源に接続される第２のＰＭＯＳトランジスタと、入力端子が前記第２のＰＭＯＳトランジスタのドレインに接続され、出力端子が前記第１のＰＭＯＳトランジスタのドレインに接続される第１のインバータと、入力端子が前記第１のＰＭＯＳトランジスタのドレインに接続され、出力端子が前記第２のＰＭＯＳトランジスタのドレインに接続される第２のインバータとからなるデューティ補正回路とを備えたレベルシフト装置。
【請求項５】
前記デューティ補正回路は、前記第１のインバータの出力信号を入力信号としレベルシフトの出力とする第１のバッファと、前記第２のインバータの出力信号を入力信号とする第２のバッファとをさらに備えている請求項４に記載のレベルシフト装置。
【請求項６】
前記デューティ補正回路の前記第１の入力信号がハイレベル、前記第２の入力信号がローレベルのとき、前記第１のバッファの出力がローレベル、前記第２のバッファの出力がハイレベルとなり、前記第１の入力信号がローレベル、前記第２の入力信号がハイレベルのとき、前記第１のバッファの出力がハイレベル、前記第２のバッファの出力がローレベルとなり、前記第１、第２の入力信号がローレベルのとき、前記第１、第２のバッファの出力は保持されるように構成されている請求項３または請求項５に記載のレベルシフト装置。
【手続補正２】
【補正対象書類名】明細書
【補正対象項目名】０００８
【補正方法】変更
【補正の内容】
【０００８】
すなわち、Ｒ-Ｓラッチ回路ＬＨのＮＡＮＤ回路Ｎ２に入力される入力信号Ｓ４の立ち下がりエッジは、所定の遅延の後、ＰＭＯＳトランジスタＱＰ４、ＮＭＯＳトランジスタＱＮ３のゲート入力の立ち下がりエッジとして帰還される。この帰還信号により、ＰＭＯＳトランジスタＱＰ４はオン状態、ＮＭＯＳトランジスタＱＮ３はオフ状態となり、Ｒ-Ｓラッチ回路ＬＨのＮＡＮＤ回路Ｎ２への入力信号Ｓ４はハイレベルとなる。このとき、ＮＡＮＤ回路Ｎ２の他方の入力信号Ｓ５はローレベルとなっているため、ＮＡＮＤ回路Ｎ２の出力信号Ｓ６はハイレベルに保持される。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
複数のプロジェクタに画像信号を入力して、前記画像信号に基づいた画像を前記複数のプロジェクタの各プロジェクタがスクリーン上に投射するマルチプロジェクションシステムであって、
前記各プロジェクタに前記画像信号として同じ調整用画像信号を入力し、当該調整用画像信号に基づいて調整用画像を前記スクリーン上に投射することによって前記各プロジェクタの調整を行う際に、前記複数のプロジェクタの各プロジェクタが投射する前記調整用画像の色度及び／又は輝度を前記各プロジェクタごとに変換可能な調整用画像変換手段を有することを特徴とするマルチプロジェクションシステム。
【請求項２】
請求項１に記載のマルチプロジェクションシステムであって、
前記各プロジェクタは、前記複数のプロジェクタの他のプロジェクタとの識別が可能な識別番号を設定する識別番号設定部と、設定された識別番号を記憶する識別番号記憶部と、前記識別番号が与えられると当該識別番号が自身の識別番号であるか否かを判定する機能及び前記調整用画像変換手段を制御する機能を有する制御部とを有することを特徴とするマルチプロジェクションシステム。
【請求項３】
請求項２に記載のマルチプロジェクションシステムであって、
前記制御部は、前記与えられた識別番号が自身の識別番号であると判定した場合に、前記調整用画像の変換を行うべく前記調整用画像変換手段を制御することを特徴とするマルチプロジェクションシステム。
【請求項４】
請求項２に記載のマルチプロジェクションシステムであって、
前記制御部は、前記与えられた識別番号が自身の識別番号でないと判定した場合に、前記調整用画像の変換を行うべく前記調整用画像変換手段を制御することを特徴とするマルチプロジェクションシステム。
【請求項５】
請求項２〜４のいずれかに記載のマルチプロジェクションシステムにおいて、
前記調整用画像変換手段は、前記各プロジェクタが有する画像信号変換部であって、前記画像信号変換部は、変換規則に基づいて前記調整用画像信号を変換する機能を有することを特徴とするマルチプロジェクションシステム。
【請求項６】
請求項５に記載のマルチプロジェクションシステムにおいて、
前記変換規則は、前記調整用画像をどのように変換するかを示す変換内容が前記識別番号に対応して記述され、前記画像信号変換部は、自身の識別番号に対応する前記変換内容に基づいて前記調整用画像信号を変換することを特徴とするマルチプロジェクションシステム。
【請求項７】
請求項６に記載のマルチプロジェクションシステムにおいて、
前記変換内容は、ＲＧＢ要素の１つ以上の要素の値をゼロとした内容であることを特徴とするマルチプロジェクションシステム。
【請求項８】
請求項６に記載のマルチプロジェクションシステムにおいて、
前記変換内容は、ＲＧＢ要素の２つ以上の要素の値を相互に入れ替えた内容であることを特徴とするマルチプロジェクションシステム。
【請求項９】
請求項２〜４のいずれかに記載のマルチプロジェクションシステムにおいて、
前記調整用画像変換手段は、前記各プロジェクタが投射する画像の色度及び／又は輝度を変更可能な光学的フィルタと、前記光学的フィルタを前記プロジェクタが投射する画像の光路上に出没可能に駆動する光学的フィルタ駆動装置と、前記光学的フィルタ駆動装置を制御する光学的フィルタ駆動装置制御部とによって構成されていることを特徴とするマルチプロジェクションシステム。
【請求項１０】
請求項９に記載のマルチプロジェクションシステムにおいて、
前記光学的フィルタ駆動装置制御部は、前記各プロジェクタに設けられ、当該プロジェクタの前記制御部によって制御されることを特徴とするマルチプロジェクションシステム。
【請求項１１】
請求項１〜１０のいずれかに記載のマルチプロジェクションシステムにおいて、
前記複数のプロジェクタは、それぞれが投射する画像が前記スクリーン上でタイリング表示されるようにそれぞれが画像の投射を行うことを特徴とするマルチプロジェクションシステム。
【請求項１２】
請求項１〜１０のいずれかに記載のマルチプロジェクションシステムにおいて、
前記複数のプロジェクタは、それぞれが投射する画像が前記スクリーン上でスタッキング表示されるようにそれぞれが画像の投射を行うことを特徴とするマルチプロジェクションシステム。
【請求項１３】
画像信号に基づいた画像を投射する第１のプロジェクタ及び第２のプロジェクタと、
前記第１のプロジェクタ及び前記第２のプロジェクタに前記画像信号として同じ調整用画像信号を入力する手段と、
前記第１のプロジェクタが投射する調整用画像の色度及び／又は輝度を、前記第２のプロジェクタが投射する調整用画像の色度及び／又は輝度と異ならせる調整用画像変換手段とを有することを特徴とするマルチプロジェクションシステム。
【請求項１４】
複数のプロジェクタに画像信号を入力して、前記画像信号に基づいた画像を前記複数のプロジェクタの各プロジェクタがスクリーン上に投射するマルチプロジェクションシステムに用いられるプロジェクタであって、
前記各プロジェクタに同じ調整用画像を入力して前記各プロジェクタの調整を行う際に用いる調整用画像の色度及び／又は輝度を変換する調整用画像変換手段を有することを特徴とするプロジェクタ。
【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
遊技球を貯留する球タンクと、該球タンクから下流側に向けて遊技球が転動するよう傾斜した状態で当該球タンクの下方に設けられたタンクレールと、該タンクレールから供給される遊技球を、予め定めた払い出し条件が成立したことに基づいて払い出し経路に送出する払い出し動作を行う一方、予め定めた球抜き条件が成立したことに基づいて球抜き経路に送出する球抜き動作を行う払出装置と、を備えたパチンコ機であって、
該パチンコ機には、
遊技領域に遊技球を発射する操作ハンドルと、
遊技の進行を制御する主制御基板と、
前記払出装置による遊技球の払い出し動作及び球抜き動作を制御する払出制御基板と、
を備え、
前記操作ハンドルは、
回転操作に応じて遊技球の発射勢を調節する発射レバーと、
該発射レバーに遊技者が触れているか否かを検出するタッチスイッチと、
を備え、
前記主制御基板は、
前記予め定めた払い出し条件が成立したことに基づいて前記払出装置から賞球として払い出す遊技球の球数を指定する賞球コマンドを前記払出制御基板に送信する賞球コマンド送信制御手段
を備え、
前記払出制御基板は、
前記払出装置による遊技球の球抜き動作を開始する球抜きスイッチと、
予め定めた時間ごとに前記払出装置の各種制御を行う払出制御側メイン制御手段と、
を備え、
前記払出制御側メイン制御手段は、
前記賞球コマンド送信制御手段が送信した前記賞球コマンドを受信する賞球コマンド受信制御手段と、
該賞球コマンド受信制御手段が受信した前記賞球コマンドに基づいて前記払出装置による遊技球の払い出し動作を実行する払い出し動作実行制御手段と、
前記球抜きスイッチが操作されたか否かを判定する球抜きスイッチ操作判定制御手段と、
該球抜きスイッチ操作判定制御手段により前記球抜きスイッチが操作されたと判定されたときには前記払出装置による遊技球の球抜き動作を実行する球抜き動作実行制御手段と、
前記タッチスイッチからの検出信号に基づいて遊技者が前記発射レバーに触れているか否かを判定する発射レバータッチ判定制御手段と、
該発射レバータッチ判定制御手段により前記タッチスイッチからの検出信号に基づいて遊技者が前記発射レバーに触れていると判定された際に、前記球抜き動作実行制御手段により実行されている前記払出装置による遊技球の球抜き動作を強制停止する球抜き動作強制停止制御手段と、
を含むことを特徴とするパチンコ機。
【請求項２】
請求項１に記載のパチンコ機であって、
ベース部材と、該ベース部材に組み合わされるカバー部材と、の間に前記払出制御基板が収容される基板ボックス
を備え、
前記基板ボックスは、封印ねじを用いて前記ベース部材と前記カバー部材とを相互に締結することで封印され、前記基板ボックスを開封する開封部に切除部が設けられ、該開封部を切断する際に、該切除部が切除されることを特徴とするパチンコ機。
【手続補正２】
【補正対象書類名】明細書
【補正対象項目名】００２０
【補正方法】変更
【補正の内容】
【００２０】
本発明の請求項１においては、球抜き動作を悪用した不正行為を防止することができる。本発明の請求項２においては、ホールの店員等は、切除部を目視することによって基板ボックスの開封有無を容易に確認にすることができ、また払出制御基板の改変有無の確認に役立つ。